(57)【要約】【課題】本発明の課題は、表示部上の設定画面の遷移時に当該遷移前の設定の確定／キャンセル指定を任意に変更しうる画像形成装置及び画像形成装置設定方法を提供する。【解決手段】操作部２からの操作入力により、ボタン動作切替設定が行われる。そして、操作部２から画像形成条件が入力されている際に、階層表示ボタンが押下されることにより、既に画像形成条件が入力済みの設定画面に戻る画面遷移をした場合に、この画面遷移前に表示されていた設定画面に対して入力された画像形成条件を確定するか、キャンセルするかは、設定された前記ボタン動作切替設定に従って制御部９によって決められる。【選択図】図１
2008176601.tif 000002
【特許請求の範囲】
【請求項１】
操作項目を画面に表示する画面表示部と、
前記画面表示部により表示された操作項目への入力を行う操作入力部と、
前記画面表示部に表示された画面が別画面に遷移する際の当該遷移前に前記操作入力部により入力された操作項目値を確定するか又はキャンセルするかの設定を指定し、当該指定に基づいて、前記画面遷移時に当該画面遷移前の画面における操作項目値を設定する制御部と
を備えることを特徴とする画像形成装置。
【請求項２】
画像形成装置を操作するユーザの情報であるユーザ情報を記憶する記憶部を備え、
前記制御部は、前記記憶部が記憶するユーザ情報に基づいて前記画像形成装置のユーザのユーザ認証を行い、前記記憶部に記憶されたユーザ情報毎に前記操作項目値を確定するか又はキャンセルするかの設定を指定し、前記ユーザ認証後、当該認証されたユーザについての前記記憶部に記憶されたユーザ情報に対応する前記操作項目値を確定するか又はキャンセルするかの設定の指定に基づいて、前記画面遷移時に当該画面遷移前の画面における操作項目値を設定すること
を特徴とする請求項１に記載の画像形成装置。
【請求項３】
画像形成装置を操作するユーザの情報であるユーザ情報を記憶する記憶部を備え、
前記制御部は、前記記憶部に記憶されたユーザ情報毎に当該ユーザの分類であるユーザ分類情報を指定し、前記記憶部が記憶するユーザ情報に基づいて前記画像形成装置のユーザのユーザ認証を行い、前記指定されたユーザ分類情報毎に前記操作項目値を確定するか又はキャンセルするかの設定を指定し、前記ユーザ認証後、当該認証されたユーザについての前記記憶部に記憶されたユーザ情報に対して設定されたユーザ分類情報に対応する前記操作項目値を確定するか又はキャンセルするかの設定の指定に基づいて、前記画面遷移時に当該画面遷移前の画面における操作項目値を設定すること
を特徴とする請求項１に記載の画像形成装置。
【請求項４】
操作項目を画面表示し、当該画面に表示された操作項目への入力を受け付ける画像形成装置の設定方法であって、
前記操作項目を表示する画面が別画面に遷移する際の当該遷移前に入力された操作項目値を確定するか又はキャンセルするかの設定を指定し、当該指定に基づいて、前記画面遷移時に当該遷移前の画面における操作項目値を設定することを特徴とする画像形成装置設定方法。
【発明の詳細な説明】
【技術分野】
【０００１】
本発明は、画像形成装置及び画像形成装置設定方法に関する。
【背景技術】
【０００２】
近年、複写機やプリンタ等の画像形成装置の多機能化に伴い、一画像の出力に際して、多岐にわたる画像形成条件を設定することができるものが広く普及している。これらの画像形成装置には、タッチパネル（操作表示パネル）が備えられ、表示された設定画面にて画像形成条件の設定が行われるものが多い。そして、そのような操作表示パネルには、現在表示されている設定画面へ至るまでの到達経路がわかるように階層表示され、その表示された階層部分に触れることで任意の設定画面に戻ることができるものが知られている。このような操作表示パネルを使用することによって、画像形成装置の操作者は、現在どの分類のどの項目を画像形成条件として設定しようとしているかを容易に認識することができ、また、任意の設定画面へ容易に戻ることができるため、高い操作性が実現される。
【０００３】
また、特許文献１には、操作表示パネル上に表示された設定画面で予め節電モードの種類を設定しておくことによって、節電モード切り替え時に操作をすることなく、異なる節電モードに切り替えることができる画像形成装置が提案されている。
【特許文献１】特開２００５−２１２４０６号公報
【発明の開示】
【発明が解決しようとする課題】
【０００４】
しかしながら、上記従来技術では、設定画面が画面遷移する際、画面遷移前の設定画面で指定した設定を確定するかキャンセルする（取り消す）かの設定は、画像形成装置によって予め決められており、確定したい又はキャンセルしたいという操作者によって異なる要望に応えることができない。また、初めてその画像形成装置を操作する者等にとっては、画面遷移前の設定画面で指定した設定が確定されるのか、キャンセルされるのか把握することが困難である。
【０００５】
本発明の課題は、表示部上の設定画面の遷移時に当該遷移前の設定の確定又はキャンセルを任意に変更しうる画像形成装置及び画像形成装置設定方法を提供することである。
【課題を解決するための手段】
【０００６】
請求項１に記載の発明は、画像形成装置において、
操作項目を画面に表示する画面表示部と、
前記画面表示部により表示された操作項目への入力を行う操作入力部と、
前記画面表示部に表示された画面が別画面に遷移する際の当該遷移前に前記操作入力部により入力された操作項目値を確定するか又はキャンセルするかの設定を指定し、当該指定に基づいて、前記画面遷移時に当該画面遷移前の画面における操作項目値を設定する制御部と
を備えることを特徴とする。
【０００７】
請求項２に記載の発明は、請求項１に記載の画像形成装置において、
画像形成装置を操作するユーザの情報であるユーザ情報を記憶する記憶部を備え、
前記制御部は、前記記憶部が記憶するユーザ情報に基づいて前記画像形成装置のユーザのユーザ認証を行い、前記記憶部に記憶されたユーザ情報毎に前記操作項目値を確定するか又はキャンセルするかの設定を指定し、前記ユーザ認証後、当該認証されたユーザについての前記記憶部に記憶されたユーザ情報に対応する前記操作項目値を確定するか又はキャンセルするかの設定の指定に基づいて、前記画面遷移時に当該画面遷移前の画面における操作項目値を設定すること
を特徴とする。
【０００８】
請求項３に記載の発明は、請求項１に記載の画像形成装置において、
画像形成装置を操作するユーザの情報であるユーザ情報を記憶する記憶部を備え、
前記制御部は、前記記憶部に記憶されたユーザ情報毎に当該ユーザの分類であるユーザ分類情報を指定し、前記記憶部が記憶するユーザ情報に基づいて前記画像形成装置のユーザのユーザ認証を行い、前記指定されたユーザ分類情報毎に前記操作項目値を確定するか又はキャンセルするかの設定を指定し、前記ユーザ認証後、当該認証されたユーザについての前記記憶部に記憶されたユーザ情報に対して設定されたユーザ分類情報に対応する前記操作項目値を確定するか又はキャンセルするかの設定の指定に基づいて、前記画面遷移時に当該画面遷移前の画面における操作項目値を設定すること
を特徴とする。
【０００９】
請求項４に記載の発明は、画像形成装置の設定方法において、
操作項目を画面表示し、当該画面に表示された操作項目への入力を受け付ける画像形成装置設定方法であって、
前記操作項目を表示する画面が別画面に遷移する際の当該遷移前に入力された操作項目値を確定するか又はキャンセルするかの設定を指定し、当該指定に基づいて、前記画面遷移時に当該遷移前の画面における操作項目値を設定すること
を特徴とする。
【発明の効果】
【００１０】
請求項１、４に記載の発明によれば、表示部上の設定画面の遷移時に当該遷移前の設定の確定／キャンセル指定を任意に変更することが可能となる。
【００１１】
請求項２に記載の発明によれば、ユーザ認証されたユーザ毎に、当該ユーザが画像形成装置を操作するときのみ有効な確定／キャンセル指定をすることが可能となる。
【００１２】
請求項３に記載の発明によれば、ユーザ認証される複数のユーザをユーザ分類に分類し、当該ユーザ分類に対応付けられたユーザが画像形成装置を操作するときのみ有効な確定／キャンセル指定を当該ユーザ分類毎に行うことが可能となる。
【発明を実施するための最良の形態】
【００１３】
以下、図面を参照して本発明に係る実施の形態を説明する。ただし、発明の範囲は本実施の形態に限定されない。
【００１４】
まず、図１に、本発明に係る画像形成装置の内部構成の概要を示す。図１に示すように、画像形成装置１は、操作部２、表示部３、タッチパネル４、画像入力部５、画像処理部６、画像形成部７、記憶部８、及び制御部９を備える。
【００１５】
操作部２は、画像形成開始を指示するためのスタートキーや数字キー等の各種機能キーを備え、これら機能キーやタッチパネル４が操作されると、対応する操作信号を制御部９に出力する。
【００１６】
表示部３は、タッチパネル４と一体に形成されたＬＣＤ（Liquid Crystal Display）を備える。このＬＣＤ上に出力部数、濃度、両面／片面プリント、又は、スタンプオーバレイ（日付や定型文字などを画像に重ねて出力する機能）等の各種画像形成条件設定の操作等のための各種操作画面を表示させる。
【００１７】
画像入力部５は、光源、ＣＣＤ（Charge Coupled Device）、Ａ／Ｄ（Analog to Digital）変換器等を備えている。画像読取時には、光源から原稿へ照明走査した光の反射光を結像してＣＣＤにより光電変換することにより原稿画像を読み取り、画像信号（アナログ信号）を生成する。その後、画像信号をＡ／Ｄ変換器によりデジタル画像データに変換し、画像処理部６に出力する。また、画像は図形や写真等のイメージに限らず、文字や記号等のキャラクタイメージ等も含む。
【００１８】
画像処理部６は、画像入力部５から入力される読取画像に対し、各種画像処理を施して出力用の出力画像を生成し、画像形成部７に出力する。画像処理として、色変換処理、平均化処理、γ補正処理、解像度変換処理、スクリーン処理等がある。
【００１９】
画像形成部７は、画像処理部６から出力される出力画像に基づいて電子写真方式によりプリント出力を行う。電子写真方式では、図示しないレーザ光源から感光ドラム上にレーザ光を照射して露光を行い、静電潜像を形成する。これに図示しない現像部がトナーを吹き付けてできたトナー像を記録用紙に転写する。なお、本実施の形態では、プリント方式を電子写真方式としたがこの形態に限定されず、インクジェット方式や熱転写方式などでも良く、印刷方式は特に問わない。
【００２０】
記憶部８は、ＨＤＤ（Hard Disk Drive）等の記憶装置であり、制御部９で実行される各種制御プログラムの他、各部で必要なパラメータやデータ等を記憶している。例えば、操作部２により入力された操作情報、当該情報を確定するか否かの情報、及び、画像形成装置１の操作者をユーザ認証する際のユーザ毎の各種ユーザ情報等が記憶されている。
【００２１】
制御部９は、記憶部８に記憶された制御プログラム等に従って、画像形成装置１の各部の動作を集中制御する。
【００２２】
図２から図１５は、タッチパネル４と一体に形成されたＬＣＤに表示される画面のイメージ図である。
まず、図２から図５を参照して、ボタン動作切替設定の方法の一例を説明する。ボタン動作切替設定とは、操作部２から画像形成条件を各設定画面に対して順次入力している際に、既に画像形成条件入力済みの設定画面に戻る画面遷移をした場合に、この画面遷移前に表示されていた設定画面に対して入力された画像形成条件を確定するか、キャンセルするかの設定である。
【００２３】
図２は、コピーを行う際に表示される操作メニュー画面である。表示領域Ａ１ａには、トレイ設定やユーティリティ等の各種設定画面を表示させるための操作ボタン群が表示されている。ユーティリティボタンＢ１０が押下されると、図３に示すようなユーティリティ設定のための設定画面が表示される。
【００２４】
図３の表示領域Ａ２には、コピーのための環境設定や機能設定等を行うための各種設定画面を表示させるための操作ボタン群が表示されている。環境設定ボタンＢ１１が押下されると、図４に示すような環境設定のための設定画面が表示される。
【００２５】
図４の表示領域Ａ３には、言語設定、ブザー設定、及びボタン動作切り替え等の環境設定を行うための各種設定画面を表示させるための操作ボタン群が表示されている。ボタン動作切り替えボタンＢ１２が押下されると、図５に示すようなボタン動作切替設定画面が表示される。
【００２６】
図５の表示領域Ａ４には、ボタン動作切替設定を「確定」又は「キャンセル」に設定するための操作ボタン群が表示されている。図１７は、図５に示すボタン動作切替設定画面にて、ボタン動作切替設定が行われている際の処理のフローチャートである。処理の実行は、制御部９が行う。確定ボタンＢ１３が押下された場合は、「確定」に設定され、キャンセルボタンＢ１４が押下された場合は、「キャンセル」に設定される（S１１）。次いで、ＯＫボタンＢ１６が押下されると（S１２；「OK」ボタン）、記憶部８に記憶されたボタン動作切替設定情報は設定されたボタン動作切替設定に書き換えられ、図４が示す設定画面が表示される（S１３）。キャンセルボタンＢ１５が押下されると（S１２；「キャンセル」ボタン）、記憶部８に記憶されたボタン動作切替設定情報は書き換えられることなく、図４が示す設定画面が表示される（S１４）。
【００２７】
次に、図２、及び図６から図９を参照して、ボタン動作切替の設定によって、操作部２から入力された画像形成条件の確定方法がどのように変化するかを説明する。
【００２８】
図２は、前述のとおり、画像形成装置１によってコピーを行うための操作メニュー画面である。表示領域Ａ１ｂには、各種画像形成条件を設定するための設定画面を表示させるための操作ボタン群が表示されている。応用設定ボタンＢ２０が押下されると、図６に示すような応用設定を行うための設定画面が表示される。
【００２９】
図６の表示領域Ａ５には、１枚集約、センタリング、又はスタンプ／オーバレイ等の各種画像形成条件の設定画面を表示させるための操作ボタン群が表示されている。スタンプ／オーバレイボタンＢ２１が押下されると、図７に示すようなスタンプやオーバレイを設定するための設定画面が表示される。
【００３０】
図７の表示領域Ａ６には、スタンプ設定を行うための設定画面を表示させるための操作ボタン群が表示されている。ナンバリングボタンＢ２２が押下されると、図８に示すようなナンバリングを設定するための設定画面が表示される。
【００３１】
図８の表示領域Ａ７には、ナンバリングする位置を設定するための操作ボタン群が表示されている。位置の微調整ボタンＢ２３が押下されると、図９に示すようなナンバリングの印刷位置を微調整するための設定画面が表示される。
【００３２】
図９の表示領域Ａ８には、ナンバリングの印刷位置を上下方向、又は左右方向等に微調整するための操作ボタン群が表示されている。ＯＫボタンＢ４４が押下されると、この設定画面に入力された設定内容は確定した画像形成条件として記憶部８に記憶され、図８が示すスタンプ／ナンバリング設定画面が表示される。次いで、スタンプ／ナンバリング設定画面のＯＫボタンＢ４３が押下されると、この設定画面に入力された設定内容は確定した画像形成条件として記憶部８に記憶され、図７が示すスタンプ／オーバレイ設定画面が表示される。次いで、スタンプ／オーバレイ設定画面のＯＫボタンＢ４２が押下されると、この設定画面に入力された設定内容は確定した画像形成条件として記憶部８に記憶され、図６が示す応用設定画面が表示される。
【００３３】
また、図９が示す位置の微調整設定画面のキャンセルボタンＢ５４が押下されると、この設定画面に入力した設定内容をキャンセルし、図８が示すスタンプ／ナンバリング設定画面が表示される。次いで、スタンプ／ナンバリング設定画面のキャンセルボタンＢ５３が押下されると、この設定画面に入力した設定内容をキャンセルし、図７が示すスタンプ／オーバレイ設定画面が表示される。次いで、スタンプ／オーバレイ設定画面のキャンセルボタンＢ５２が押下されると、この設定画面に入力した設定内容をキャンセルし、図６が示す設定画面が表示される。
【００３４】
また、図６から図９が示す各設定画面には、現在表示されている設定画面が表示されるまでの到達経路が階層的に表示されている（Ａ２１からＡ２４）。各階層が表示されている部分（以下、「階層表示ボタン」と呼ぶ）が押下されると、各階層が示す画像形成条件の設定画面が表示される。
【００３５】
例えば、図９における階層表示ボタンＢ６１が押下されると、図６が示す応用設定画面が表示される。Ｂ６２が押下されると、図７が示すスタンプ／オーバレイ設定画面が表示される。Ｂ６３が押下されると、図８が示すスタンプ／ナンバリング設定画面が表示される。
【００３６】
この際、すなわち階層表示ボタンB６１〜B６３が押下されることによって既に画像形成条件を入力済みの設定画面に戻る画面遷移をした際、図９に示す位置の微調整設定画面に対して入力された画像形成条件を確定するか、キャンセルするかは、図５に示すボタン動作切替設定画面にて行われた設定によって決められる。
【００３７】
つまり、図５に示すボタン動作切替設定画面にて確定ボタンB１３の押下により「確定」が設定されていた場合には、図９が示す位置の微調整設定画面に対して入力した画像形成条件は確定した画像形成条件として記憶部８に記憶される。図５に示すボタン動作切替設定画面にてキャンセルボタンB１４の押下により「キャンセル」が設定されていた場合には、図９に示す位置の微調整設定画面に対して入力した画像形成条件をキャンセルする。
【００３８】
図１６は、図５に示すボタン動作切替設定画面にて行われた設定によって、階層表示ボタン押下時に画像形成条件の設定を確定、又はキャンセルする処理を示したフローチャートである。この処理の実行は、制御部９が行い、図６から図９が示す設定画面にて、操作部２から画像形成条件が入力されているときに開始される。
【００３９】
階層表示ボタンが押下された際（Ｓ１）に、記憶部８が記憶するボタン動作切替設定情報が「確定」である場合（Ｓ２；Ｙｅｓ）、階層表示ボタンの押下以前に入力された画像形成条件は確定した条件として記憶部８に記憶され、押下された階層表示ボタンに対応する設定画面を表示し（Ｓ３）、この処理を終了する。階層表示ボタンが押下された際（Ｓ１）に、記憶部８が記憶するボタン動作切替設定情報が「キャンセル」である場合（Ｓ２；Ｎｏ）、階層表示ボタンの押下以前に入力された画像形成条件はキャンセルする条件として記憶部８から消去され、押下された階層表示ボタンに対応する設定画面を表示し（Ｓ４）、この処理を終了する。
【００４０】
なお、以上の実施形態では、図６から図９が示す設定画面にて画像形成条件設定の操作中は、ボタン動作切替設定が「確定」又は「キャンセル」のどちらに設定されているかを確認することができない。そのため、どちらの設定がされているかを図６から図９が示す設定画面に示すこととしても良い。例えば、図１０が示す設定画面には、アイコンＩ１が表示されており、このアイコンは記憶部８に記憶されたボタン動作切替設定情報が「確定」に設定されていることを示す。図１１が示す設定画面には、アイコンＩ２が表示されており、このアイコンは記憶部８に記憶されたボタン動作切替設定情報が「キャンセル」に設定されていることを示す。
【００４１】
また、以上の実施形態では、ボタン動作切替設定を行うと、その後に画像形成装置１を操作する者全員に対してその設定内容が反映されることとなるが、この実施形態に限定されない。
【００４２】
例えば、画像形成装置１は画像形成装置１を操作するユーザのユーザ認証を行うこととし、認証されたユーザは自己が画像形成装置１を操作するときのみ有効なボタン動作切替設定を行えるようにしても良い。図１２は、ユーザ毎にボタン動作切替を設定するための設定画面の例である。表示領域Ａ９ａには、ボタン動作切替を設定する対象となるユーザのユーザ情報が表示されている。表示領域Ａ９ｂには、表示領域Ａ９ａに表示されたユーザ情報に対応するユーザの画像形成装置１の操作に関する設定をするための操作ボタン群が表示されている。確定ボタンＢ７１が押下されると、ボタン動作切替設定は「確定」として設定される。キャンセルボタンＢ７２が押下されると、「キャンセル」として設定される。ＯＫボタンＢ７３が押下されると、表示領域Ａ９ａに表示されたユーザ情報に対応するユーザのボタン動作切替設定情報として記憶部８に記憶された情報は、設定された内容に書き換えられる。なお、ユーザ認証の方法は特に問わず、周知の任意のものを使用することができる。
【００４３】
また、画像形成装置１の管理者が、ユーザ認証される複数のユーザを所定のグループに分類するためにユーザ毎にユーザグループを設定し、分類されたユーザグループ毎にボタン動作切替設定を行えるようにしても良い。
【００４４】
図１３は、画像形成装置１の管理者がユーザ毎にユーザグループを設定するための設定画面の例である。
表示領域Ａ１０ａには、ユーザグループを設定する対象となるユーザのユーザ情報が表示されている。表示領域Ａ１０ｂには、表示領域Ａ１０ａに表示されたユーザ情報に対応するユーザの画像形成装置１の操作やユーザグループに関する設定等をするための操作ボタン群が表示されている。ボタンＢ８１が押下されると、表示領域Ａ１０ａに表示されたユーザ情報に対応するユーザは、第一のユーザグループに設定される。ボタンＢ８２が押下されると、表示領域Ａ１０ａに表示されたユーザ情報に対応するユーザは、第二のユーザグループに設定される。設定されたユーザグループは、ユーザ情報と対応付けてユーザグループ情報として記憶部８に記憶される。
【００４５】
図１４は、画像形成装置１の管理者が図１３に示す設定画面にて設定されたユーザグループ毎にボタン動作切替設定をするための設定画面の例である。Ａ１１には、第一のユーザグループ名が表示されている。Ａ１２には、第二のユーザグループ名が表示されている。確定ボタンＢ９１が押下されると、第一のユーザグループは「確定」に設定され、キャンセルボタンＢ９２が押下されると、「キャンセル」に設定される。確定ボタン９３が押下されると、第二のユーザグループは「確定」に設定され、キャンセルボタン９４が押下されると「キャンセル」に設定される。設定された内容は、ボタン動作切替設定情報として各ユーザグループに対応するユーザ情報に対応付けて記憶部８に記憶される。
【００４６】
また、以上の実施形態におけるボタン動作切替設定は、「確定」又は「キャンセル」のみを設定できることとしたが、この実施形態に限定されず、例えば、階層表示ボタンを無効にし、階層表示ボタンの押下による画面遷移ができないようにする「無効」の設定をできるようにしても良い。図１５は、ボタン動作切替設定を「無効」として設定をすることができる設定画面の例である。表示領域Ａ１３には、ボタン動作切替設定をするための操作ボタン群が表示されている。無効ボタンＢ１７が押下されると、階層表示ボタンは無効に設定される。ＯＫボタンＢ１８が押下されると、階層表示ボタンは無効にするという情報が記憶部８に記憶される。
【００４７】
以上のように、画像形成装置１は、タッチパネル４に表示された確定ボタンB１３又はキャンセルボタンB１４の押下後ＯＫボタンＢ１６が押下されることにより、ボタン動作切替設定が制御部９によって行われる。そして、操作部２から画像形成条件が入力されている際に、階層表示ボタンが押下されることにより、既に画像形成条件が入力済みの設定画面に戻る画面遷移をした場合に、この画面遷移前に表示されていた設定画面に対して入力された画像形成条件を確定するか、キャンセルするかは、設定された前記ボタン動作切替設定に従って制御部９によって決められる。
【００４８】
このような実施の形態によれば、任意にボタン動作切替設定を行うことができる。例えば、画像形成条件の設定操作に精通した者は、ボタン動作切替設定を「確定」に設定することで、階層表示ボタンの押下により、一度入力した画像形成条件を確定し、素早く任意の設定画面に遷移することが可能となる。一方、画像形成条件の設定操作に不慣れな者は、ボタン動作切替設定を「キャンセル」に設定することで、一度入力した画像形成条件が自分の意図しない画像形成条件であると気づいた際に、階層表示ボタンの押下により、一度入力した画像形成条件をキャンセルし、素早く任意の設定画面に遷移することが可能となる。
【００４９】
また、制御部９が画像形成装置１を操作するユーザのユーザ認証を行い、タッチパネル４に表示された確定ボタンB７１又はキャンセルボタンB７２が押下されると、制御部９によってボタン動作切替設定情報がユーザごとに対応付けて記憶部８に記憶されるようにすることで、認証されたユーザは自己が画像形成装置１を操作するときのみ有効なボタン動作切替設定を行うことが可能となる。その結果、認証されたユーザは操作を開始するたびにボタン動作切替設定を行う必要がなくなる。
【００５０】
また、タッチパネル４に表示されたボタンＢ８１又はボタンＢ８２が押下されることにより、制御部９によってユーザ情報に対応付けてユーザグループ情報が記憶部８に記憶され、タッチパネル４に表示された確定ボタンB９１、キャンセルボタンB９２、確定ボタンB９３、又はキャンセルボタンB９４が押下されることにより、制御部９によってボタン動作切替設定情報として各ユーザグループに対応するユーザ情報に対応付けて記憶部８に記憶されるようにすることで、画像形成装置１の管理者は、ユーザ認証される複数のユーザをユーザグループに分類し、分類されたユーザグループ毎にボタン動作切替設定を行うことが可能となる。その結果、ユーザは自らボタン動作切替設定を行う必要がなくなる。
【図面の簡単な説明】
【００５１】
【図１】本発明に係る画像形成装置の実施形態を示すブロック図である。
【図２】本発明に係る画像形成装置の実施形態においてコピーを行う際に表示部によって表示される画面の一例を示す図である。
【図３】本発明に係る画像形成装置の実施形態においてボタン動作切替を行う際に表示部によって表示される画面の一例を示す図である。
【図４】本発明に係る画像形成装置の実施形態においてボタン動作切替を行う際に表示部によって表示される画面の一例を示す図である。
【図５】本発明に係る画像形成装置の実施形態においてボタン動作切替を行う際に表示部によって表示される画面の一例を示す図である。
【図６】本発明に係る画像形成装置の実施形態において画像形成条件の設定を行う際に表示部によって表示される画面の一例を示す図である。
【図７】本発明に係る画像形成装置の実施形態において画像形成条件の設定を行う際に表示部によって表示される画面の一例を示す図である。
【図８】本発明に係る画像形成装置の実施形態において画像形成条件の設定を行う際に表示部によって表示される画面の一例を示す図である。
【図９】本発明に係る画像形成装置の実施形態において画像形成条件の設定を行う際に表示部によって表示される画面の一例を示す図である。
【図１０】本発明に係る画像形成装置の他の実施形態において画像形成条件の設定を行う際に表示部によって表示される画面の一例を示す図である。
【図１１】本発明に係る画像形成装置の他の実施形態において画像形成条件の設定を行う際に表示部によって表示される画面の一例を示す図である。
【図１２】本発明に係る画像形成装置の他の実施形態においてボタン動作切替を行う際に表示部によって表示される画面の一例を示す図である。
【図１３】本発明に係る画像形成装置の他の実施形態においてボタン動作切替を行う際に表示部によって表示される画面の一例を示す図である。
【図１４】本発明に係る画像形成装置の他の実施形態においてボタン動作切替を行う際に表示部によって表示される画面の一例を示す図である。
【図１５】本発明に係る画像形成装置の他の実施形態においてボタン動作切替を行う際に表示部によって表示される画面の一例を示す図である。
【図１６】本発明に係る画像形成装置の実施形態を示すフローチャートである。
【図１７】本発明に係る画像形成装置の実施形態を示すフローチャートである。
【符号の説明】
【００５２】
１  画像形成装置
２  操作部
３  表示部
４  タッチパネル
５  画像入力部
６  画像処理部
７  画像形成部
８  記憶部
９  制御部
【図１】
2008176601.tif 000003
【図２】
2008176601.tif 000004
【図３】
2008176601.tif 000005
【図４】
2008176601.tif 000006
【図５】
2008176601.tif 000007
【図６】
2008176601.tif 000008
【図７】
2008176601.tif 000009
【図８】
2008176601.tif 000010
【図９】
2008176601.tif 000011
【図１０】
2008176601.tif 000012
【図１１】
2008176601.tif 000013
【図１２】
2008176601.tif 000014
【図１３】
2008176601.tif 000015
【図１４】
2008176601.tif 000016
【図１５】
2008176601.tif 000017
【図１６】
2008176601.tif 000018
【図１７】
2008176601.tif 000019